(57)【要約】【構成】通信カメラ用覗き見防止装置である。電子機器に貼着されたベースシートとこのベースシートに立設された支軸と、ベースシートに重設された状態で支軸を中心として揺動するカバーシートとからなる。ベースシートに撮影孔が形成されているとともにこの撮影孔は撮影用レンズの前方に配置され、カバーシートを揺動させることによって撮影孔を覆ったりこの覆いを解除したりする。【効果】電子機器に貼着するに際してベースシートの面積さえ確保すれば良く、カバーシートの揺動ストロークまで確保する必要がない。電子機器に貼着するに際して広い面積を必要とせず、よって、使用できる電子機器の範囲が拡大される。【選択図】  図２
2014167559.tif 000002
【特許請求の範囲】
【請求項１】
電子機器に搭載された通信カメラに覗き見防止具を設置し、この覗き見防止具によって前記通信カメラの撮影用レンズを覆ったりこの覆いを解除したりする電子機器に搭載された通信カメラ用覗き見防止装置において、前記覗き見防止具は電子機器に貼着されたベースシートとこのベースシートに立設された支軸と、前記ベースシートに重設された状態で前記支軸を中心として揺動するカバーシートとからなり、前記ベースシートに撮影孔が形成されているとともにこの撮影孔は前記撮影用レンズの前方に配置され、前記カバーシートを揺動させることによって前記撮影孔を覆ったりこの覆いを解除したりすることを特徴とする通信カメラ用覗き見防止装置。
【請求項２】
前記カバーシートに補助孔を開け、この補助孔に透明脚色シートを張設し、前記カバーシートを揺動することによってこの補助孔を前記撮影孔に一致させ、前記透明脚色シートでこの撮影孔を覆うことができることを特徴とする請求項１の通信カメラ用覗き見防止装置。
【請求項３】
前記ベースシートの撮影孔を当該ベースシートの中心部から周辺側に配置したことを特徴とする請求項１の通信カメラ用覗き見防止装置。
【発明の詳細な説明】
【技術分野】
【０００１】
この発明は通信カメラ用覗き見防止装置に関し、パソコンに搭載されたウェブカメラや携帯電話に搭載された携帯カメラによる覗き見や盗撮を防止するために使用されるものである。
【背景技術】
【０００２】
近年、他人のパソコンや携帯電話にウイルスを侵入させ、そのウェブカメラを乗っ取って他人の私生活を覗き見したり、盗撮したりする事件が発生している。
【０００３】
このため、従来においては、パソコンや携帯電話等の電子機器に覗き見防止具を貼着し、この覗き見防止具におけるスライド板を水平方向にスライドさせることによって前記通信カメラの撮影用レンズを覆ったりこの覆いを解除したりして前記覗き見を防止していた。
【０００４】
【特許文献１】実登録第３１７０６１９号公報
【特許文献２】実登録第３１７３５１４号公報
【発明の開示】
【発明が解決しようとする課題】
【０００５】
しかしながら、かかる従来の覗き見防止装置にあっては、スライド板が鞘ケース内に収容された状態でスライドしていたため、鞘ケースの全体形状が大きくなり、電子機器に貼着するに際して広い面積を必要する結果、使用できる電子機器が制限されざるを得ないという不都合を有した。
【０００６】
この発明の課題は前記不都合を解消することである。
【課題を解決するための手段】
【０００７】
この課題を達成するために、この発明に係る通信カメラ用覗き見防止装置においては、電子機器に搭載された通信カメラに覗き見防止具を設置し、この覗き見防止具によって前記通信カメラの撮影用レンズを覆ったりこの覆いを解除したりする電子機器に搭載された通信カメラ用覗き見防止装置において、前記覗き見防止具は電子機器に貼着されたベースシートとこのベースシートに立設された支軸と、前記ベースシートに重設された状態で前記支軸を中心として揺動するカバーシートとからなり、前記ベースシートに撮影孔が形成されているとともにこの撮影孔は前記撮影用レンズの前方に配置され、前記カバーシートを揺動させることによって前記撮影孔を覆ったりこの覆いを解除したりするものである。
【０００８】
この場合、前記カバーシートに補助孔を開け、この補助孔に透明脚色シートを張設し、前記カバーシートを揺動することによってこの補助孔を前記撮影孔に一致させ、前記透明脚色シートでこの撮影孔を覆うこともできる。
【０００９】
また、前記ベースシートの撮影孔を当該ベースシートの中心部から周辺側に配置することもできる。
【発明の効果】
【００１０】
この発明に係る通信カメラ用覗き見防止装置は上記のように構成されているため、即ち、電子機器に搭載された通信カメラに覗き見防止具を設置し、この覗き見防止具によって前記通信カメラの撮影用レンズを覆ったりこの覆いを解除したりする電子機器に搭載された通信カメラ用覗き見防止装置において、前記覗き見防止具は電子機器に貼着されたベースシートとこのベースシートに立設された支軸と、前記ベースシートに重設された状態で前記支軸を中心として揺動するカバーシートとからなり、前記ベースシートに撮影孔が形成されているとともにこの撮影孔は前記撮影用レンズの前方に配置され、前記カバーシートを揺動させることによって前記撮影孔を覆ったりこの覆いを解除したりするものであるため、電子機器に貼着するに際してベースシートの面積さえ確保すれば良く、カバーシートの揺動ストロークまで確保する必要がない。
【００１１】
よって、この通信カメラ用覗き見防止装置を使用すれば、電子機器に貼着するに際して広い面積を必要とせず、よって、使用できる電子機器の範囲が拡大される。
【００１２】
この場合、前記カバーシートに補助孔を開け、この補助孔に透明脚色シートを張設し、前記カバーシートを揺動することによってこの補助孔を前記撮影孔に一致させ、前記透明脚色シートでこの撮影孔を覆うことができるようにすれば、被写体からの光線はこの透明脚色シートを介して撮影用レンズに達するため、この透明脚色シートによって脚色された映像を捕えることができる。
【００１３】
また、前記ベースシートの撮影孔を当該ベースシートの中心部から周辺側に配置すれば、ベースシートの周縁に撮影孔を配置できるため、撮影レンズが電子機器の周縁近傍に設置されていても電子機器からはみださない状態でベースシートを貼着することができる。
【発明を実施するための最良の形態】
【００１４】
この発明に係る通信カメラ用覗き見防止装置は実施するにあたって下記の構成に最も主要な特徴を有する。
【００１５】
この発明に係る「電子機器」にはパソコン、携帯電話、通信機能を備えたデジタルカメラ等が該当する。
【００１６】
また、「通信カメラ」には、ウェブカメラ、デジ゛タルカメラ等が該当する。
【００１７】
「カバーシート」及び「ベースシート」の材料は、合成樹脂のフィルム状の薄いものが適している。また、両者は同一形状にするのが適している。なお、これらの形状は、円、四角等の図形、キャラクター等の図形等如何なるものでもよい。
【００１８】
「カバーシート」の表面には模様、写真等を印刷したり描いたりすることができる。
【００１９】
「ベースシート」をパソコン等に貼着する場合には、両面テープが適している。面ファスナー等によって着脱可能にすることもできる。また、「ベースシート」の裏面に接着材を塗布し、この塗布面に剥離紙を貼り付け、使用の際にこの剥離紙を剥がして接着させることもできる。なお、ベースシートと両面テープ、接着材層との間に裏面にクッションシートを介在させることもできる。
【００２０】
さらに、「カバーシート」を一対の分割カバーシートに分割し、この分割カバーシートが各々前記支軸を中心として揺動し前記撮影孔を覆ったりこの覆いを解除したりすることもできる。
【００２１】
さらに、「透明脚色シート」とは、透明着色シート、凸レンズシート、魚眼レンズシート等、被写体からの光線を脚色して撮影用レンズに達するようにするためのものであり、各々の機能に基づいて脚色された映像を捕えることができる。
【００２２】
「支軸」には実施例で使用した支持ピン以外に鳩目等の支軸として機能する全ての軸部材が含まれる。
【００２３】
「覗き見・盗撮」等は、パソコン等の電子機器に侵入したウィルス等によって、電子機器の通信カメラを誤作動させ、意思に反して使用者の私生活を覗き見したり、盗撮したりすることである。
【実施例】
【００２４】
以下、図面に基づいてこの発明の実施例を説明する。
【００２５】
図１はこの発明に係る通信カメラ用覗き見防止装置をスマートフォンに使用した場合の第一実施例の斜視図、図２は図１におけるII部拡大図、図２−１は図２における覗き見防止具の背面図、図２−２は同右側面図、図２−３は同平面図、図３は図２におけるIII―III線断面図、図４は図2における作動状態図、図５は図２に相当する第二実施例の図、図６は図２に相当する代三実施例の図、図７は図６におけるVII―VII線断面図、図8は図６におけるVIII―VIII線断面図、図９は図２に相当する第四実施例の図、図１０は図２に相当する第五実施例の図、図１１は同作動状態の図、図１２はこの発明に係る通信カメラ用覗き見防止装置をノートパソコンに使用した場合の斜視図である。
【００２６】
図１〜図４に基づいて、この発明に係る通信カメラ用覗き見防止装置をスマートフォンに使用した場合の第一実施例を説明する。
【００２７】
図１において、１０はスマートフォン、１１はそのフレームである。１２はタッチパネルであり前記フレーム１１の表面に設置されている。このタッチパネル１２上には所要数のタッチパッド１３，１３，…が設置されている。また、１４は送話部（マイク）であり、前記フレーム１１の下部に設置され、また、１５は受話部（スピーカー）であり、同フレーム１１の上部に設置されている。この送話部１４と受話部１５は電話としての機能を果たす。
【００２８】
２０は前面ウェブカメラ（この発明の「通信カメラ」に相当する）であり、前記フレーム１１に内蔵され、その撮影用レンズ２１は透明部（フレーム１１の）２２を介してフレーム１１の上部略中央に露出している（図３参照のこと）。
【００２９】
なお、図示はしないが、前記フレーム１１の背面にも背面ウェブカメラ（この発明の「通信カメラ」に相当する）が前面ウェブカメラ２０と同様に設置されている。
【００３０】
Ａは覗き見防止具であり、前記フレーム１１の前記撮影用レンズ（前面ウェブカメラ２０）２１を覆う状態で両面テープ１６によって前記フレーム１１に貼着されている。
【００３１】
次に、図２〜図４に基づいて前記覗き見防止具Ａについて詳述する。
【００３２】
図において、３１はベースシートであり、前記両面テープ１６を介して前記フレーム１１に貼着されている。このベースシート３１は合成樹脂のフィルム等によって円板状に形成されている。３２は撮影孔であり、前記ベースシート３１の略中心部に形成されている。この撮影孔３２は前記撮影用レンズ２１の全体を覗けるように位置している。なお、前記両面テープ１６にもこの撮影孔３２に沿って透孔１７が形成されている。また、この両面テープ１６はクッション材としての機能も発揮する。また、ベースシート３１の裏面に接着材を塗布し、この塗布面に剥離紙を貼り付け、使用の際にこの剥離紙を剥がして接着させることもできる。なお、ベースシート３１と両面テープ１６又は接着材層との間に裏面にクッションシートを介在させることもできる。
【００３３】
４１はカバーシートであり、前記ベースシート３１に重設されている。このカバーシート４１も前記ベースシート３１同様に合成樹脂のフィルム等によって円板状に形成されている。前記カバーシート４１は前記ベースシート３１よりも僅かに大径の真円状をしている。５１は支持ピン（この発明の「支軸」に相当する）であり、前記カバーシート４１と前記ベースシート３１とを貫通し、後記ピン部５１１を折り曲げることによって前記重設状態を固定している。図４に示すように、この支持ピン５１を中心として前記カバーシート４１は前記ベースシート３１に対して揺動することによって前記撮影孔３２を覆ったりこの覆いを解除したりする。なお、前記カバーシート４１の表面には文字、図形、模様、その他写真等によって適宜デザインを施すことができる。また、前記支持ピン５１はピン部５１１と押板部５１２とからなり、この実施例においては、この押板部５１２は星形をしているが如何なる形状をしていてもよい。更に、前記ピン部５１１の前記ベースシート３１から突出した部分は前記両面テープ１６によってカバーされる。また、前記支持ピン５１の代わりに鳩目等を支軸として使用することもできる。
なお、前記図2に左側面図は図２−２の右側面図と対称に表れ、同底面図は図２−３の平面図と対称に表れる。
【００３４】
図５は第二実施例を示したものであり、前記ベースシート３１の撮影孔３２を当該ベースシート３１の中心部から周辺側に配置したものである。このように、前記撮影孔３２を配置すれば、前記ベースシート３１において、前記撮影孔３２と前記ベースシート３１の周縁との幅を狭く設置することができ（図４におけるベースシート３１を参照のこと）、前記ベースシート３１の周縁に撮影孔３２を配置することができるため、撮影レンズ２１がフレーム１１の周縁近傍に設置されていてもこのフレーム１１から外側にはみださない状態で前記ベースシート３１を貼着することができるものである。
【００３５】
図６〜図８は第三実施例を示したものである。図において、５２，５４は補助孔であり、前記カバーシート４１に形成されている。この補助孔５２，５４は前記撮影孔３２と同径（又はそれ以上）の真円状であり、支持ピン５１から同じ距離に位置している。このため、前記カバーシート４１を揺動することによってこの補助孔５２，５４を前記撮影孔３２に一致させることができる。５５，５５は透明着色シート（この発明の「透明脚色シート」に相当する）であり、前記補助孔５２，５４に張設されている。前記補助孔５２，５４が前記撮影孔３２に一致した際に、この透明着色シート５５，５５で、前記撮影孔３２は覆われ、被写体からの光線はこの透明着色シート５５，５５を介して撮影用レンズ２１に達し、この透明着色シート５５，５５の色彩に着色された映像を捕えることができる。なお、透明着色シート５５の代わりに「透明脚色シート」として凸レンズシート、魚眼レンズシート等を使用することもできる。
【００３６】
図９は第四実施例を示したものであり、前記カバーシート４１を一対の分割カバーシート４１１，４１２に分割し、この分割カバーシート４１１，４１２を各々前記支持ピン５１を中心として外側方向（矢印Ｂ，Ｃ方向）に揺動し前記撮影孔３２を覆ったりこの覆いを解除したりするものである。
【００３７】
更に、図１０及び図１１第五実施例を示したものであり、カメラの絞り機構を応用したものである。この場合、ベースシート３１に支持ピン５１，５１，…を介して揺動可能に設置された羽根状のカバー４１，４１，…が設置されている。カバーシート４１，４１，…にはカム穴７１，７１，が形成されている。また、撮影孔３２の中心Ｏの周りに回転するリング７０が設置され、このリング７０には作動ピン７２，７２、…が設置されている。この作動ピン７２，７２、…は前記羽根状カバーシート４１，４１，…のカム穴７１，７１，に嵌められており、リング７０の回転に従ってカム運動をして、羽根状カバーシート４１，４１，…を揺動させ、撮影孔３２を拡げたり狭めたりする。図１０は開いた状態であり、この状態でリング７０を右回りさせると羽根状カバーシート４１，４１，…は左回りに揺動して図１１の閉まった状態となる。閉まった状態から開放する場合には図１１の状態でリング７０を左回りさせればよい。
【００３８】
図１２は前記覗き見防止具Ａをノートパソコン（この発明の「電子機器」に相当する）６０に使用した場合の斜視図である。このノートパソコン６０において、６１はキーボード部、６２はディスプレイ部、６３はその液晶ディスプレイ、６４はフレームである。６５はその透明部、６６は内蔵されたウェブカメラの撮影用レンズであり、前記スマートフォン１０の場合と同様に構成されている
【産業上の利用可能性】
【００３９】
この発明に係る通信カメラ用覗き見防止装置は、電子機器に貼着するに際してベースシートの面積さえ確保すれば良く、カバーシートの揺動ストロークまで確保する必要がない。このため、電子機器に貼着するに際して広い面積を必要とせず、よって、使用できる電子機器の範囲が拡大される。産業上の利用可能性は高いものである。
【図面の簡単な説明】
【００４０】
【図１】図１はこの発明に係る通信カメラ用覗き見防止装置をスマートフォンに使用した場合の第一実施例の斜視図ある。
【図２】図２は図１におけるII部拡大図である。
【図２−１】図２−１は図２における覗き見防止具の背面図である。
【図２−２】図２−２は同右側面図である。
【図２−３】図２−３は同平面図である。
【図３】図３は図２におけるIII―III線断面図である。
【図４】図４は図2における作動状態図である。
【図５】図５は図２に相当する第二実施例の図である。
【図６】図６は図２に相当する第三実施例の図である。
【図７】図７は図６におけるVII―VII線断面図である。
【図８】図8は図６におけるVIII―VIII線断面図である。
【図９】図９は図２に相当する第四実施例の図である。
【図１０】図１０は図２に相当する第五実施例の図である。
【図１１】図１１は同作動状態の図である。
【図１２】図１２はこの発明に係る通信カメラ用覗き見防止装置をノートパソコンに使用した場合の斜視図である。
【符号の説明】
【００４１】
１０  …  スマートフォン
１１  …  フレーム
１２  …  タッチパネル
１３  …  タッチパッド
１４  …  送話部（マイク）
１５  …  受話部（スピーカー）
１６  …  両面テープ
１７  …  透孔
２０  …  前面ウェブカメラ（通信カメラ）
２１  …  撮影用レンズ
２２  …  透明部（フレーム１１の）
Ａ  …  覗き見防止具
３１  …  ベースシート
３２  …  撮影孔
４１  …  カバーシート
５１  …  支持ピン（支軸）
５１１…  ピン部
５１２…  押板部
５２  …  補助孔
５４  …  補助孔
５５  …  透明着色シート（透明補助シート）
４１１  …  分割カバーシート
４１２  …  分割カバーシート
６０  …  ノートパソコン（電子機器）
６１  …  キーボード部
６２  …  ディスプレイ部
６３  …  液晶ディスプレイ
６４  …  フレーム
６５  …  透明部
６６  …  撮影用レンズ
７０  …  リング
Ｏ    …  撮影孔の中心
７２  …  作動ピン
７１  …  カム穴
【図１】
2014167559.tif 000003
【図２】
2014167559.tif 000004
【図２−１】
2014167559.tif 000005
【図２−２】
2014167559.tif 000006
【図２−３】
2014167559.tif 000007
【図３】
2014167559.tif 000008
【図４】
2014167559.tif 000009
【図５】
2014167559.tif 000010
【図６】
2014167559.tif 000011
【図７】
2014167559.tif 000012
【図８】
2014167559.tif 000013
【図９】
2014167559.tif 000014
【図１０】
2014167559.tif 000015
【図１１】
2014167559.tif 000016
【図１２】
2014167559.tif 000017